(57)【要約】  【課題】  制御回路を保護する樹脂ケースにゴキブリ等の害虫の侵入を阻止すること。  【解決手段】  制御回路１を保護する樹脂ケース２側面周りに沿わせた双方異極の極性を持つ第１の導電ワイヤー３および第２の導電ワイヤー４に対して害虫が接近し、第１の導電ワイヤー３に接触した状態で更に第２の導電ワイヤー４に接触すると害虫に微弱な電流が流れることで静電気的な伝播作用を生じさせ、害虫を樹脂ケース２から確実に駆除することができる。【選択図】  図１
2005056634.tif 000002
【特許請求の範囲】
【請求項１】
加熱コイルに高周波電流を供給する制御回路と、前記制御回路を保護するための樹脂ケースと、前記樹脂ケースの外側面に前記制御回路から配線する第１の導電ワイヤーと、前記樹脂ケースの外側面に前記制御回路から配線し前記第１の導電ワイヤーに対し電位を異ならせて通電する第２の導電ワイヤーとを備えた誘導加熱調理器。
【請求項２】
第１の導電ワイヤーおよび第２の導電ワイヤーは、互いに樹脂ケースの外側面に対し複数箇所の交差を有する格子状にして沿わせる構成とした請求項１に記載の誘導加熱調理器。
【請求項３】
第１の導電ワイヤーおよび第２の導電ワイヤーは、樹脂ケースの外側面に対し水平方向にして螺旋状に沿わせる構成とした請求項１に記載の誘導加熱調理器。
【請求項４】
第１の導電ワイヤーおよび第２の導電ワイヤーへは一次電池にて通電を行う構成とした請求項１〜３のいずれか１項に記載の誘導加熱調理器。
【請求項５】
二次電池を備えて調理中は商用電源から前記二次電池に蓄電し、第１の導電ワイヤーおよび第２の導電ワイヤーに対して調理中には商用電源にて通電を行い、調理停止時のような無通電状態時には前記二次電池にて通電を行う構成とした請求項１〜３のいずれか１項に記載の誘導加熱調理器。
【請求項６】
電池消耗状態あるいは交換時期には表示または報知にて使用者に知らせる請求項４または５に記載の誘導加熱調理器。
【請求項７】
第１の導電ワイヤーおよび第２の導電ワイヤーに対して電荷を供給するための専用コンデンサを備えて通電を行う構成とした請求項１〜３のいずれか１項に記載の誘導加熱調理器。
【請求項８】
樹脂ケースには忌避剤を塗布した請求項１〜７のいずれか１項に記載の誘導加熱調理器。
【発明の詳細な説明】
【技術分野】
【０００１】
本発明は、特にインバータ等の高周波電源を有する一般家庭用の誘導加熱調理器に関するものである。
【背景技術】
【０００２】
従来の誘導加熱調理器の構成を、図９に示す。
【０００３】
図９において、誘導加熱調理器本体２０内に、加熱コイル２１と加熱コイル２１に高周波電流を供給する制御回路２２と制御回路２２を冷却するためのファンモータ２３を備え、機器を使用しない場合にはファンモータ２３のみを運転させる構成とし、かつ制御回路２２を保護する樹脂ケース２４には忌避剤を塗布した構成とする。
【０００４】
上記従来の誘導加熱調理器内部の害虫駆除作用について説明する。
【０００５】
機器を使用しない状態でファンモータ２３のみを運転させた際、ファンモータ２３による送風作用によって、制御回路２２の基板や本体２０全体の間隙や物陰の隅々に不快要因である外気の乱れと風切り音を生じ、この作用を行き渡らせることでゴキブリ等の害虫を器体外部に排斥する。また、制御回路２２を保護するための樹脂ケース２４に塗布した忌避剤によって害虫の駆除を行う構成である（例えば、特許文献１参照）。
【特許文献１】特開２００３−４５６２９号公報（第９頁、第５図）
【発明の開示】
【発明が解決しようとする課題】
【０００６】
しかしながら、前記従来の技術では、機器を使用しないときに筐体内部の送風ファンの運転による不快要因となる外気の乱れと風切り音を行き渡らせる、あるいは樹脂ケースに忌避剤を塗布しているだけであるため、害虫の侵入を確実に防ぎきることが困難な構成となっていた。
【０００７】
本発明は、上記従来の課題を解決するもので、通電時に双方が異極の極性を持つ導電性のワイヤーにて、害虫に微弱な電流を流して静電気的な伝播作用を起こし、制御回路への侵入を確実に阻止することを目的とする。
【課題を解決するための手段】
【０００８】
前記従来の課題を解決するために、加熱コイルに高周波電流を供給する制御回路と前記制御回路を保護するための樹脂ケースとを備え、前記樹脂ケースの外側面には前記制御回路から配線する第１の導電ワイヤーおよび前記第１の導電ワイヤーに対し通電時に極性が異なる第２の導電ワイヤーとを備え、双方の導電ワイヤーへの通電手段に電池のような二次電源を使用するものである。
【０００９】
この構成では、通電時に双方が異極の極性を持つ導電性のワイヤーに常時微弱な電圧を印加した状態にすることができ、ゴキブリ等の害虫が双方の導電ワイヤーに接触すると、害虫に対し微弱な電流が流れて静電気的な伝播作用を起こし、この作用によって害虫を駆除するので、制御回路への侵入を確実に阻止することができる。
【発明の効果】
【００１０】
以上のように、本発明によれば、制御回路を保護するための樹脂ケースの外側面には第１の導電ワイヤーおよび第１の導電ワイヤーに対し通電時に極性が異なる第２の導電ワイヤーを備え、双方の導電ワイヤーへの電源供給に電池等の二次電源を備えた構成として常時双方の導電ワイヤーに通電を行い、ゴキブリ等の害虫が双方の導電ワイヤーに接触した際には害虫に微弱な電流が流れ、静電気的な伝播作用によって確実に駆除することができる。
【発明を実施するための最良の形態】
【００１１】
請求項１に記載の発明は、加熱コイルに高周波電流を供給する制御回路と、前記制御回路を保護するための樹脂ケースと、前記樹脂ケースの外側面に前記制御回路から配線する第１の導電ワイヤーと、前記樹脂ケースの外側面に前記制御回路から配線し前記第１の導電ワイヤーに対し電位を異ならせて通電する第２の導電ワイヤーとを備えた構成とし、ゴキブリ等の害虫が双方の導電ワイヤーに接触した際には、微弱な電流が害虫に対して流れ、静電気的な伝播作用を起こすことで確実に害虫を駆除することができる。
【００１２】
請求項２に記載の発明は、第１の導電ワイヤーおよび第２の導電ワイヤーは、互いに樹脂ケースの外側面に対し複数箇所必ず交差する格子状にして沿わせる構成としたことで、ゴキブリ等の害虫が一方の導電ワイヤーに接触した際には、他方の導電ワイヤーにも接触しやすい構成となるので、害虫に対して微弱な電流を流しやすくなり、したがって静電気的な伝播作用を起こさせやすい状態となるので害虫駆除をより確実に行うことができる。
【００１３】
請求項３に記載の発明は、第１の導電ワイヤーおよび第２の導電ワイヤーは、樹脂ケースの外側面に対し水平方向にして螺旋状に沿わせる構成とすることで、双方の導電ワイヤーを交差させずに簡易配線できるので、樹脂ケースに双方の導電ワイヤーを絶縁するための加工処理を省略することができる。
【００１４】
請求項４に記載の発明は、第１の導電ワイヤーおよび第２の導電ワイヤーへは一次電池にて通電を行う構成とすることで、調理停止時のような無通電状態時でも商用電源からの電源供給を行うことなく、常時導電ワイヤーに通電を行うことができる。
【００１５】
請求項５に記載の発明は、二次電池を備えて第１の導電ワイヤーおよび第２の導電ワイヤーに対して調理中には商用電源にて通電を行いつつ、二次電池には蓄電を行わせ、調理停止時のような無通電状態時には調理中に蓄電された二次電池にて通電を行う構成とすることで、導電ワイヤーに対しての電源供給を長寿命にでき、常時通電を効率よく行うことができる。
【００１６】
請求項６に記載の発明は、電池消耗時には表示、または報知にて知らせる構成とすることで電池の消耗状態あるいは電池交換時期を分かりやすく使用者に知らせることができる。
【００１７】
請求項７に記載の発明は、第１の導電ワイヤーおよび第２の導電ワイヤーに対して電荷を供給する専用コンデンサを備えて通電を行う構成とすることで、商用電源からの通電時（例えば調理中）には電荷を専用コンデンサに蓄え、調理終了後の無通電状態時にゴキブリ等の害虫が双方の導電ワイヤーに接触した際には、専用コンデンサからの電荷によって、害虫に電流が流れて駆除することができる。また、導電ワイヤーへの電源供給デバイスに専用のコンデンサを用いることによって、一次電池あるいは二次電池のような交換を要する消耗品とは異なり、継続使用できる電子部品として電源供給を行わせることができるため、交換作業をせずに使用することができる。
【００１８】
請求項８に記載の発明は、第１および第２の導電ワイヤーを巻き付ける樹脂ケースに忌避剤を塗布する構成とすることで、害虫駆除の効果を一層高めることができる。
【実施例】
【００１９】
以下、本発明の実施例について、図面を参照して説明する。
【００２０】
（実施例１）
本発明の実施例１について、図１と図２および図３により説明する。図１は本発明の実施例１における誘導加熱調理器の制御回路保護用樹脂ケースの構成略図で、図２は樹脂ケースの要部拡大図で、図３は作用図である。
【００２１】
図１において、商用電源から電源供給を行い、約５Ｖの直流電源を含む回路構成とする制御回路１を囲うようにして保護する樹脂ケース２に対し、制御回路１から配線される第１の導電ワイヤー３および第２の導電ワイヤー４を樹脂ケース２の側面に沿うようにして双方のワイヤーが交差するように配線する。また、第１の導電ワイヤー３と第２の導電ワイヤー４は極性が異極となるように通電を行い、ワイヤーに対する電圧レベルは制御回路１で約１．５Ｖレベル程度に変圧するものとする。また、図２に示すように導電ワイヤーの交差部分は双方の導電ワイヤーが接触しないように樹脂ケース２に突起部分５を設けた構成とする。
【００２２】
以上のように構成された誘導加熱調理器の樹脂ケース２周りについて動作の説明をする。
【００２３】
制御回路１を保護する樹脂ケース２側面周りに沿わせた双方異極の極性を持つ第１の導電ワイヤー３および第２の導電ワイヤー４に対して、図３に示すように害虫６が接近し第１の導電ワイヤー３に接触した状態で更に第２の導電ワイヤー４に接触すると、害虫６に微弱な電流が流れる。
【００２４】
以上の構成により、害虫６に対して静電気的な伝播作用を生じさせることができ、害虫６を樹脂ケース２から確実に駆除することができる。
【００２５】
（実施例２）
以下、本発明の実施例２について、図４と図５および図６により説明する。図４、図５は本発明の実施例２における誘導加熱調理器の動作を表すブロック図とし、図６は誘導加熱調理器の制御回路保護用樹脂ケースの構成略図とする。実施例１と異なる点は、図６に示す第１の導電ワイヤー７と第２の導電ワイヤー８を樹脂ケース９の側面に対して複数箇所必ず交差させる細かい格子状にして沿わせ、かつ双方の導電ワイヤーへの電源供給に商用電源の他、一次電池あるいは二次電池を追加したことである。
【００２６】
以上のように構成された誘導加熱調理器について動作の説明をする。
【００２７】
図４に示すように、一次電池を追加した構成では、調理中には商用電源からの電源供給にて双方の導電ワイヤーに通電を行わせ、調理停止時のような無通電状態においては、一次電池１０によって双方の導電ワイヤーに対して通電を行わせる。
【００２８】
また、図５に示すように、二次電池１１を追加した構成では、調理中には商用電源から双方の導電ワイヤーへ通電するとともに二次電池１１に対して充電を行わせ、調理停止時のような無通電状態時においては、二次電池１１によって双方の導電ワイヤーに対し通電を行わせる。
【００２９】
また、図６に示すように、樹脂ケース９の側面に沿うようにして双方の導電ワイヤーを複数箇所必ず交差する（双方の導電ワイヤーは図２で示したように接触しない構成とする）ようにして細かい格子状に配線する。
【００３０】
以上の構成により、調理停止時のような無通電状態時には商用電源からの電力を使用することなく、また商用電源からの電源供給が遮断された場合でも常時双方の導電ワイヤーに通電することができる。
【００３１】
また、電源供給手段に二次電池１１を用いた場合には調理中には商用電源から導電ワイヤーに対して通電を行いつつ二次電池１１に蓄電できるので、導電ワイヤーに対しての電源供給を長寿命にでき、常時通電を効率よく行うことができる。
【００３２】
また、樹脂ケース９の側面に対し第１の導電ワイヤー７および第２の導電ワイヤー８を複数箇所交互に交差させながら細かく格子状に張り巡らせるので、害虫が一方の導電ワイヤーに接触した際には、他方のワイヤーにも接触させやすい構成となるため、害虫に対して静電気的な伝播作用を生じさせやすくすることができ、害虫をより確実に樹脂ケース９から駆除することができる。
【００３３】
また、電池の消耗状態あるいは交換時期には表示または報知を行う構成とすると、使用者は容易に消耗状態あるいは交換時期を確認することができる。
【００３４】
（実施例３）
本発明の実施例３について、図７により説明する。図７は本発明の実施例３における誘導加熱調理器の制御回路保護用樹脂ケースの構成略図である。実施例２と異なる点は双方の導電ワイヤー交差させずに水平方向へ螺旋状に沿わせる構成としたことである。
【００３５】
図７に示すように、制御回路１２から配線される第１の導電ワイヤー１４および第２の導電ワイヤー１５を樹脂ケース１３の側面において交差させずに水平方向へ沿わせるようにして配線すると、双方の導電ワイヤーを配線する作業が容易にできるとともに、樹脂ケース１３には導電ワイヤーが互いに接触しないようにするための突起部分（例えば実施例１の図２）のような絶縁加工処理を施さなくてよい構成とすることができる。
【００３６】
以上の構成により、樹脂ケース１３側面周りに水平に沿わせた双方異極の極性を持つ第１の導電ワイヤー１４および第２の導電ワイヤー１５に対して、害虫が接近し第１の導電ワイヤー１４に接触した状態で更に第２の導電ワイヤー１５に接触すると、害虫に微弱な電流が流れ、害虫に対して静電気的な伝播作用を生じさせ、害虫を樹脂ケース１３から駆除することができる。
【００３７】
（実施例４）
以下、本発明の実施例４について、図８により説明する。図８は、本発明の実施例４における誘導加熱調理器のブロック図である。実施例２と異なる点は、図６に示す第１の導電ワイヤー７および第２の導電ワイヤー８への電源供給手段に専用コンデンサ１６を用い、電池のような制御回路１７外部からの二次電源を削除したことである。
【００３８】
以上のように構成された誘導加熱調理器について動作の説明をする。
【００３９】
図８に示すように、調理中には商用電源から電源供給を行い、約５Ｖの直流電源を含む回路構成とする制御回路１７からの電源供給にて、双方の導電ワイヤーに通電を行わせるとともに、一方では制御回路１７で整流された電荷を専用コンデンサ１６に供給して電荷を蓄える。所定のレベルで専用コンデンサ１６への蓄電は終了し、専用コンデンサ１６は待機状態となる。専用コンデンサ１６は、双方の導電ワイヤーに接続されており、商用電源からの電源供給が制御回路１７に対し遮断された状態では双方の導電ワイヤーが接触されない限り、開状態となっている。
【００４０】
以上の構成により、樹脂ケースの側面に交差するように張り巡らされた第１の導電ワイヤーおよび第２の導電ワイヤーに対し、害虫が双方の導電ワイヤーに接触した際には専用コンデンサ１６に蓄えられた電荷によって双方の導電ワイヤーに通電が行われるため、害虫に電流が流れて樹脂ケースから駆除することができる。
【００４１】
また、導電ワイヤーへの電源供給デバイスに専用のコンデンサを用いることによって、一次電池あるいは二次電池のような交換を要する消耗品とは異なり、継続使用できる電子部品として電源供給を行わせることができるため、交換作業をせずに使用することができる。
【００４２】
また、樹脂ケースに忌避剤を塗布した構成と併せると、害虫駆除効果が一層高められる。
【図面の簡単な説明】
【００４３】
【図１】（ａ）本発明の実施例１における誘導加熱調理器の制御回路保護用樹脂ケースの構成を示す上面図（ｂ）同、側面図
【図２】（ａ）本発明の実施例１における誘導加熱調理器の樹脂ケースの要部を拡大した上面図（ｂ）同、側面図
【図３】本発明の実施例１における誘導加熱調理器の作用図
【図４】本発明の実施例２における誘導加熱調理器の一次電池使用時のブロック図
【図５】本発明の実施例２における誘導加熱調理器の二次電池使用時のブロック図
【図６】（ａ）本発明の実施例２における誘導加熱調理器の制御回路保護用樹脂ケースの構成を示す上面図（ｂ）同、側面図
【図７】（ａ）本発明の実施例３における誘導加熱調理器の制御回路保護用樹脂ケースの構成を示す上面図（ｂ）同、側面図
【図８】本発明の実施例４における誘導加熱調理器の動作ブロック図
【図９】従来の誘導加熱調理器の構成図
【符号の説明】
【００４４】
１、１２、１７  制御回路
２、９、１３  樹脂ケース
３、７、１４  第１の導電ワイヤー
４、８、１５  第２の導電ワイヤー
１０  一次電池
１１  二次電池
１６  専用コンデンサ
【図１】
2005056634.tif 000003
【図２】
2005056634.tif 000004
【図３】
2005056634.tif 000005
【図４】
2005056634.tif 000006
【図５】
2005056634.tif 000007
【図６】
2005056634.tif 000008
【図７】
2005056634.tif 000009
【図８】
2005056634.tif 000010
【図９】
2005056634.tif 000011